(57)【要約】 【課題】  可動体のうちで光源の照射範囲から外れた部分をも明るくすることができ、しかも構成を簡素化することができ、配線の取り回しを容易化することができる遊技機の補助演出装置を提供する。【解決手段】  可動体４が可動範囲の一端に位置する状態では、光源７は、可動体４に対して該可動体４の長手方向の一端面１７ａに対向する。可動体４が可動範囲の他端に位置する状態では、光源７は、可動体４に対して、該可動体４の筒状部１６の一端部１６ａと該可動体４の底部１７の外周部との連結部分２２の外壁面２２ａに対向する。前記連結部分２２の内壁面２２ｂにおいて、可動体４が可動範囲の他端に位置する状態で光源７と対向する領域には、光源７から可動体４内に入射した光を可動体４の長手方向の他端面１８ａ側に向けて反射させる反射面９０が形成されている。【選択図】      図１０
2008272332.tif 000002
【特許請求の範囲】
【請求項１】
表示装置での遊技演出に関連して動作することで補助的な遊技演出を行う遊技機の補助演出装置であって、
角変位軸線まわりに予め定める可動範囲で角変位可能に設けられ、光透過性を有する材料からなり、前記角変位軸線に交差する方向に延びるように形成された柱状でかつ中空状の可動体と、
前記可動体を角変位駆動する駆動手段と、
前記可動体に向けて光を発するものであって、前記可動体が前記可動範囲の一端に位置する状態では、前記可動体に対して該可動体の長手方向の一端面に対向するとともに、前記可動体が前記可動範囲の他端に位置する状態では、前記可動体に対して、該可動体の長手方向の両端面間に位置する中間部と前記一端面との連結部分の外壁面に対向するように配置された光源と、を含み、
前記連結部分の内壁面において、前記可動体が前記可動範囲の他端に位置する状態で前記光源と対向する領域には、該光源から前記可動体内に入射した光を前記可動体の長手方向の他端面側に向けて反射させる反射面が形成されていることを特徴とする遊技機の補助演出装置。
【発明の詳細な説明】
【技術分野】
【０００１】
本発明は、補助的な遊技演出を行う遊技機の補助演出装置に関する。
【背景技術】
【０００２】
典型的な遊技機では、遊技盤の遊技領域の中央部に装飾部材が設けられる。装飾部材には、変動表示装置が設けられる。変動表示装置は、図柄を変動表示して、主たる遊技演出を行う。装飾部材には、補助演出装置がさらに設けられる。補助演出装置は、変動表示装置での遊技演出に関連して動作することで補助的な遊技演出を行う。このような補助演出装置は、視覚的な演出効果を向上させて、遊技の興趣を一層に増大させている。
【０００３】
特許文献１には、補助演出装置に関する技術が開示される。特許文献１に開示される技術では、可動体である可動演出部材が、駆動手段である駆動機構によって駆動される。可動演出部材の背面側には、光源であるプラズマランプが設けられる。可動演出部材の正面側には、光源であるＬＥＤが設けられる。可動演出部材の斜め上方には、光源であるＬＥＤが設けられる。
【０００４】
【特許文献１】特開２００５−３２３６５３号公報
【発明の開示】
【発明が解決しようとする課題】
【０００５】
前記特許文献１に開示される技術では、可動演出部材が駆動されることで、可動演出部材の一部が、背面側のプラズマランプおよび正面側のＬＥＤの照射範囲から外れる。この場合でも、可動演出部材の前記一部が、他の部分に比べて暗くならないように、可動演出部材の斜め上方にも、ＬＥＤが別途に設けられる。したがって構成が複雑化してしまうという問題がある。
【０００６】
この問題を解決するための技術として、可動体に光源を設けることが考えられる。しかしながら、この技術では、光源に電力を供給するための配線が、可動体とともに動くことになるので、配線の取り回しが困難であり、また配線が可動体に噛み込まれてしまうおそれがある。
【０００７】
本発明の目的は、可動体のうちで光源の照射範囲から外れた部分をも明るくすることができ、しかも構成を簡素化することができ、配線の取り回しを容易化することができる遊技機の補助演出装置を提供することである。
【課題を解決するための手段】
【０００８】
本発明は、表示装置での遊技演出に関連して動作することで補助的な遊技演出を行う遊技機の補助演出装置である。可動体は、角変位軸線まわりに予め定める可動範囲で角変位可能に設けられる。可動体は、光透過性を有する材料からなり、柱状でかつ中空状であり、前記角変位軸線に交差する方向に延びるように形成される。駆動手段は、可動体を角変位駆動する。光源は、可動体に向けて光を発するものである。可動体が前記可動範囲の一端に位置する状態では、光源は、可動体に対して該可動体の一端面に対向する。可動体が前記可動範囲の他端に位置する状態では、光源は、可動体に対して、該可動体の長手方向の両端面間に位置する中間部と前記一端面との連結部分の外壁面に対向する。前記連結部分の内壁面において、可動体が前記可動範囲の他端に位置する状態で光源と対向する領域には、光源から可動体内に入射した光を可動体の長手方向の他端面側に向けて反射させる反射面が形成されている。
【０００９】
本発明に従えば、駆動手段によって、可動体が角変位駆動され、これによって補助的な遊技演出が行われる。可動体には、光源からの光が照射される。可動体が前記可動範囲の一端に位置する状態では、光源からの光は、可動体の一端面を透過して、可動体の他端面側に導かれる。可動体が前記可動範囲の他端に位置する状態では、光源からの光は、前記連結部分の外壁面を透過して可動体内に入射し、前記連結部分の内壁面に形成される反射面で反射され、光源の照射範囲から外れた可動体の他端面側に導かれる。
【００１０】
このような本発明によれば、可動体のうちで光源の照射範囲から外れた部分にも、光源からの光を導くことができるので、前記外れた部分をも明るくすることができる。このような効果を達成するために、他の光源を別途に設ける必要がなく、したがって構成を簡素化することができる。また光源に電力を供給するための配線が、可動体とともに動くことがないので、配線の取り回しが容易であり、また配線が可動体に噛み込まれてしまうおそれがない。
【発明を実施するための最良の形態】
【００１１】
図１は、本発明の実施の一形態の遊技機の補助演出装置１の構成を示す正面図である。本実施の形態の遊技機の補助演出装置（以下、単に「補助演出装置」という）１は、表示装置での遊技演出に関連して動作することで補助的な遊技演出を行う。本実施の形態では、遊技機は、パチンコ機であり、表示装置は、図柄を変動表示する変動表示装置２である。
【００１２】
補助演出装置１は、基体３と、基体３に対して予め定める可動範囲で角変位可能に設けられる可動体４と、可動体４を基体３に対して角変位駆動する駆動手段５と、可動体４を付勢する付勢手段６と、可動体４に臨んで設けられ、光を発生する光源７とを含む。
【００１３】
図２は、補助演出装置１を備える演出装置１０全体の正面図である。パチンコ機の遊技盤は、ガイドレールに囲まれる遊技領域を有する。遊技領域の中央部には、演出装置１０が設けられる。遊技領域の下部には、始動入賞口が形成される始動入賞装置と、大入賞口が形成される大入賞装置とが設けられる。大入賞装置は、始動入賞装置の下方に配置される。
【００１４】
演出装置１０は、装飾部材１１と、変動表示装置２と、複数の補助演出装置１と、複数の他の補助演出装置１Ｘとを有する。装飾部材１１は、遊技盤の遊技板に設けられる。装飾部材１１には、開口１２が形成される。変動表示装置２は、装飾部材１１の後方に設けられ、装飾部材１１の開口１２を介して前方に臨む。変動表示装置２は、液晶表示装置によって実現される。
【００１５】
各補助演出装置１および各他の補助演出装置１Ｘは、装飾部材１１に設けられる。他の補助演出装置１Ｘは、補助演出装置１に類似するので、共通する点については説明を省略する。本実施の形態では、変動表示装置２の上側には、３つの補助演出装置１が左右方向に等間隔をあけて配置され、変動表示装置２の右側には、３つの他の補助演出装置１Ｘが上下方向に等間隔をあけて配置される。補助演出装置１は、略水平な角変位軸線Ｌ２まわりに角変位可能に設けられ、他の補助演出装置１Ｘは、略鉛直な角変位軸線まわりに角変位可能に設けられる。略水平は水平を含み、略鉛直は鉛直を含む。
【００１６】
始動入賞装置の始動入賞口に遊技球が入ると、変動表示装置２による遊技演出が開始されて、変動表示装置２に表示される図柄の変動が開始される。この後、変動表示装置２に表示される図柄の変動が停止される。このときの図柄の組み合わせが、特定の組み合わせになった場合、すなわち大当たりになった場合、大入賞装置は、遊技球が入らない状態から遊技球が入る状態に切り換わり、遊技球が入る状態が所定回数だけ繰り返されて一度に多くの入賞球を得ることができる。
【００１７】
各補助演出装置１は、変動表示装置２での遊技演出に関連して動作する。たとえば、図柄の変動が開始されるときに、各補助演出装置１の可動体４が動くとともに、各補助演出装置１の光源７が点滅する。このような動作は、各他の補助演出装置１Ｘについても同様である。各補助演出装置１および各他の補助演出装置１Ｘの動作によって、視覚的な演出効果を向上させて、遊技の興趣を一層に増大させることができる。
【００１８】
図３は、可動体４の断面図である。可動体４は、光透過性を有する材料からなり、長手形状、具体的には柱状でかつ中空状に形成される。可動体４の角変位軸線Ｌ２は、可動体４の長手方向に交差する方向、本実施の形態では可動体４の長手方向に直交する方向に延びる。換言すれば、可動体４は、角変位軸線Ｌ２に交差する方向、本実施の形態では角変位軸線Ｌ２に直交する方向に延びるように形成される。可動体４の角変位軸線Ｌ２は、可動体４の長手方向一端部寄りに設定される。詳しくは、可動体４の角変位軸線Ｌ２は、可動体４をその角変位軸線Ｌ２に垂直な投影面に平行投影したとき、長手方向一端部寄りで、かつ、幅方向一端部寄りに位置するように、設定される。このような可動体４は、可動体本体１５と、一対の支持軸とを有する。
【００１９】
可動体本体１５は、筒状に形成される筒状部１６と、筒状部１６の一端部１６ａに連なり、筒状部１６の一端の開口を塞ぐ底部１７と、筒状部１６の他端部１６ｂに装着され、筒状部１６の他端の開口を塞ぐ蓋部１８と、筒状部１６の内方に設けられ、光を拡散させる光拡散部１９とを有する。筒状部１６は、可動体４の両端部間の中間部、換言すれば可動体４の長手方向の両端面１７ａ，１８ａ間に位置する中間部に相当する。底部１７は、可動体４の一端部に相当し、この底部１７には、可動体４の長手方向の一端面１７ａが形成される。蓋部１８は、可動体４の他端部に相当し、この蓋部１８には、可動体４の長手方向の他端面１８ａが形成される。
【００２０】
筒状部１６は、円筒形状に形成される。筒状部１６の内周部２１には、多数の凸面が形成される。各凸面は、筒状部１６の内方に凸となるように湾曲して、筒状部１６の一端から他端に向かう方向に延びる。筒状部１６の一端部１６ａと底部１７の外周部との連結部分２２は、外方に凸に湾曲する。蓋部１８には、複数の開口２３が形成される。
【００２１】
光拡散部１９は、板状に形成され、筒状部１６の一端から他端に向かう方向に垂直になるようにして筒状部１６の他端部１６ｂに装着される。光拡散部１９の一表面部１９ａは底部１７に臨み、光拡散部１９の他表面部１９ｂは蓋部１８に臨む。光拡散部１９の一表面部１９ａには、たとえばダイヤモンドカットが施されて、多数の凹凸面から成る光拡散面が形成される。光拡散部１９の他表面部１９ｂには、凸面が形成される。
【００２２】
各支持軸は、筒状部１６の外周面から外方に突出する。各支持軸は、筒状部１６に関して互いに反対側に配置される。各支持軸の軸線は、可動体４の角変位軸線Ｌ２と共通な一直線を成す。
【００２３】
図１を再び参照して、可動体４の重心は、可動体４が前記可動範囲の一端に位置する通常の状態では、第２軸線Ｌ２を含む鉛直な仮想一平面２４からずれる。しかも可動体４の重心は、可動体４が前記可動範囲の一端から離反するにつれて下方に移動する。
【００２４】
図４は、補助演出装置１の分解斜視図である。駆動手段５は、駆動源となるモータ２５と、モータ２５の駆動力を可動体４に伝達する伝達部２６とを有する。モータ２５は、ステッピングモータによって実現される。モータ２５の出力軸２７の軸線Ｌ１は、可動体４の角変位軸線Ｌ２と平行である。伝達部２６は、モータ２５の出力軸２７に固定される第１歯車２８と、可動体４の一方の支持軸に固定され、第１歯車２８に噛合する第２歯車２９とを有する。
【００２５】
第１歯車２８および第２歯車２９は、平歯車によって実現される。第１歯車２８には、軸部３０が形成される。第１歯車２８の軸部３０の軸線は、モータ２５の出力軸２７の軸線Ｌ１と共通な一直線を成す。第２歯車２９には、軸部が形成される。第２歯車２９の軸部の軸線は、可動体４の角変位軸線Ｌ２と共通な一直線を成す。以下、モータ２５の出力軸２７の軸線Ｌ１を第１軸線Ｌ１といい、可動体４の角変位軸線Ｌ２を第２軸線Ｌ２という場合がある。
【００２６】
付勢手段６は、可動体４の角変位にともなって角変位するばね受け片３５と、基体３に設けられ、ばね受け片３５をばね付勢するばね部材３６とを有する。このような付勢手段６では、ばね部材３６によってばね受け片３５をばね付勢することによって、付勢手段６としての機能が達成される。したがって簡素な構成で、付勢手段６を実現することができる。ばね受け片３５は、第１歯車２８と一体的に形成される。ばね部材３６は、ねじりばねによって実現される。ばね部材３６は、コイル部３７と、コイル部３７の一端部に連なる第１腕部３８と、コイル部３７の他端部に連なる第２腕部３９とを有する。
【００２７】
基体３は、第１取付部４１と、可動体４に関して第１取付部４１とは反対側に配置される不図示の第２取付部とを有する。第１取付部４１は、板状に形成される。第１取付部４１は、第２歯車２９の軸部を第２軸線Ｌ２まわりに回動可能に支持する軸受部４２と、モータ２５を支持する支持部４３と、ばね部材３６を係止する係止部４４とを有する。第２取付部は、可動体４の他方の支持軸４５を回動可能に支持する軸受部を有する。
【００２８】
支持部４３には、厚み方向に貫通する貫通孔４６が形成される。モータ２５のモータ本体４７は、第１取付部４１に関して第２取付部とは反対側に配置される。モータ２５の出力軸２７は、支持部４３の貫通孔４６を挿通して、第２取付部側に突出する。
【００２９】
係止部４４には、第２取付部側に突出し、ばね部材３６のコイル部３７に挿通される挿通部分４８が形成される。また係止部４４には、ばね部材３６の第１腕部３８を係止する係止部分４９が形成される。
【００３０】
図５は、ばね受け片３５の正面図である。ばね受け片３５は、第１歯車２８の軸部３０から半径方向外方に延びて一体的に形成される。ばね受け片３５は、大略的に扇状に形成される。ばね受け片３５は、第１軸線Ｌ１を中心として周方向に連なる第１〜第３ばね受け面５１，５２，５３を有する。
【００３１】
第１ばね受け面５１は、第１変化点Ｐ１からこの第１変化点Ｐ１よりも回動方向一方側に位置する第２変化点Ｐ２にわたって形成される平面である。第１変化点Ｐ１は、第１軸線Ｌ１を中心とする基円５４上の点であり、第２変化点Ｐ２は、第１変化点Ｐ１における基円５４の接線５５上の点である。
【００３２】
第２ばね受け面５２は、第２変化点Ｐ２からこの第２変化点Ｐ２よりも回動方向一方側に位置する第３変化点Ｐ３にわたって第１軸線Ｌ１に関して半径方向外方に凸に湾曲して形成される曲面である。第３変化点Ｐ３は、第１変化点Ｐ１における基円５４の接線５５に関して第１軸線Ｌ１と同一側に位置し、しかも第２変化点Ｐ２よりも第１軸線Ｌ１から離れた位置にある。
【００３３】
第３ばね受け面５３は、第３変化点Ｐ３からこの第３変化点Ｐ３よりも回動方向一方側に位置する第４変化点Ｐ４にわたって第１軸線Ｌ１に関して半径方向外方に凸に湾曲して形成される曲面である。第４変化点Ｐ４は、第１軸線Ｌ１からの距離が第３変化点Ｐ３と同一である。第３ばね受け面５３は、第３変化点Ｐ３から第４変化点Ｐ４にわたって第１軸線Ｌ１からの距離ｄが一定である。
【００３４】
図２を再び参照して、変動表示装置２の上側の各補助演出装置１は、可動体４の角変位軸線Ｌ２が左右方向に延びるように装飾部材１１に設けられ、変動表示装置２の右側の各他の補助演出装置１Ｘは、可動体４の角変位軸線が上下方向に延びるように装飾部材１１に設けられる。本実施の形態では、前記上側の各補助演出装置１における可動体４の角変位軸線Ｌ２は、共通な一直線を成し、前記下側の各補助演出装置１Ｘにおける可動体４の角変位軸線は、共通な一直線を成す。
【００３５】
前記上側の各補助演出装置１における可動体４は、前記可動範囲の一端に位置する状態では蓋部１８が前方に臨み、前記可動範囲の他端に位置する状態では仮想線６１で示すように蓋部１８が下方に臨む。前記上側の各補助演出装置１については、可動体４が前記可動範囲の一端に位置する状態、すなわち蓋部１８が前方に臨む状態が、通常の状態であり、この通常の状態における可動体４の位置を可動体４の原点位置とする。
【００３６】
前記右側の各他の補助演出装置１Ｘにおける可動体４は、前記可動範囲の一端に位置する状態では蓋部１８が前方に臨み、前記可動範囲の他端に位置する状態では仮想線６２で示すように蓋部１８が左方に臨む。前記下側の各他の補助演出装置１Ｘについては、可動体４が前記可動範囲の一端に位置する状態、すなわち蓋部１８が前方に臨む状態が、通常の状態であり、この通常の状態における可動体４の位置を可動体４の原点位置とする。
【００３７】
図６は、光源７の斜視図である。光源７は、可動体４に向けて光を発するものである。光源７は、発光ダイオードによって実現される。光源７は、基板６５に搭載される。本実施の形態では、複数の光源７が共通の基板６５に搭載される。これによって演出装置１０の組立性を向上させることができる。具体的には、前記上側の各補助演出装置１における各光源７は共通の第１基板に搭載され、前記右側の各他の補助演出装置１Ｘにおける各光源７は共通の第２基板に搭載される。光源７は、可動体４の後方に配置され、しかも通常の状態において、可動体４の底部１７の中央部に対向するように配置される。
【００３８】
図４を再び参照して、補助演出装置１は、可動体４の原点位置を検出する原点位置検出手段をさらに含む。原点位置検出手段は、光を遮断する遮光片７１と、光電スイッチ７２とを有する。遮光片７１は、第２歯車２９の半径方向外方寄りで、第２歯車２９に連なる。光電スイッチ７２は、第１取付部４１に装着される。光電スイッチ７２は、発光素子と、この発光素子に臨んで設けられる受光素子とを有する。光電スイッチ７２は、いわゆる溝形の光電スイッチである。
【００３９】
発光素子と受光素子との間の溝には、遮光片７１が進退する。前記溝に遮光片７１が介在しない非介在状態では、受光素子において発光素子からの光が検出される。前記溝に遮光片７１が介在する介在状態では、発光素子からの光は遮光片７１によって遮断されるので、受光素子において発光素子からの光が検出されない。本実施の形態では、可動体４が原点位置にあるときに介在状態となり、可動体４が原点位置からずれたときに非介在状態となる。
【００４０】
図７は、補助演出装置１の電気的構成を示すブロック図である。補助演出装置１は、制御装置７５によって制御される。
【００４１】
制御装置７５は、変動表示装置２を制御するとともに、補助演出装置１、具体的にはモータ２５および光源７を制御する。たとえば、制御装置７５は、変動表示装置２において図柄の変動を開始するとき、モータ２５を動作させるとともに、光源７を点滅させる。
【００４２】
また制御装置７５には、光電スイッチ７２による検出結果が与えられる。制御装置７５は、可動体４を原点位置で静止させるとき、光電スイッチ７２による検出結果に基づいて可動体４が原点位置に到達したと判定すると、モータ２５への通電を停止する。
【００４３】
図８および図９は、補助演出装置１の動作を説明するための図であり、図８（１）は可動体４が前記可動範囲の一端に位置する第１状態を示し、図８（２）は可動体４が傾倒した第２状態を示し、図９（１）は可動体４がさらに傾倒した第３状態を示し、図９（２）は可動体４が前記可動範囲の他端に位置する第４状態を示す。図８および図９では、理解を容易にするために可動体４を省略し、その代わりに、可動体４の向きを矢印８０で表す。
【００４４】
モータ２５の出力軸２７が第１回動方向Ｒ１に回動すると、第１歯車２８が第１回動方向Ｒ１と同一方向Ｒ１に回動し、第２歯車２９が第１回動方向Ｒ１と反対方向Ｒ２に回動する。これによって可動体４が前記可動範囲の一端から他端に向かう第１角変位方向Ｒ１１に角変位する。モータ２５の出力軸２７が第１回動方向Ｒ１とは反対の第２回動方向Ｒ２に回動すると、第１歯車２８が第２回動方向Ｒ２と同一方向Ｒ２に回動し、第２歯車２９が第２回動方向Ｒ２と反対方向Ｒ１に回動する。これによって可動体４が前記可動範囲の他端から一端に向かう第２角変位方向Ｒ１２に角変位する。このようにモータ２５の出力軸２７が回動することで、可動体４が前記可動範囲で角変位する。
【００４５】
ばね部材３６の第２腕部３９は、ばね受け片３５に弾発的に当接する。ばね受け片３５には、ばね部材３６から付勢力Ｆが与えられる。この付勢力Ｆは、第１軸線Ｌ１に関して周方向の分力Ｆ１と、第１軸線Ｌ１に関して半径方向の分力Ｆ２とに分解することができる。モータ２５は、ばね部材３６からの付勢力Ｆに抗して、ばね受け片３５を第１回動方向Ｒ１へ回動させる。
【００４６】
通常の状態である第１状態では、図８（１）に示すように、ばね部材３６の第２腕部３９がばね受け片３５の第１ばね受け面５１に弾発的に当接する。ばね受け片３５は、ばね部材３６によって、第２回動方向Ｒ２にばね付勢される。これによって第１歯車２８が第２回動方向Ｒ２に付勢され、第２歯車２９が第２回動方向Ｒ２と反対方向Ｒ１に付勢され、ひいては可動体４が第２角変位方向Ｒ１２に付勢される。これによって可動体４の第１角変位方向Ｒ１１への角変位が抑制される。
【００４７】
ばね部材３６は、モータ２５による第１回動方向Ｒ１への駆動力がなければ可動体４の第１角変位方向Ｒ１１への角変位を阻止することができるように、ばね受け片３５をばね付勢する。換言すれば、ばね部材３６は、可動体４の自重による第１回動方向Ｒ１へのモーメントに起因するばね受け片３５の第１回動方向Ｒ１への回動を阻止することができるように、ばね受け片３５をばね付勢する。
【００４８】
したがって通常の状態では、モータ２５による駆動力がなくても、可動体４の自重によるモーメントに抗して、可動体４の姿勢を維持することができる。したがって通常の状態において、可動体４の姿勢を維持するために、モータ２５に常に通電する必要がなく、これによって消費電力量の低減を図るとともにモータ２５の発熱を防ぐことができる。モータ２５が発熱すると、モータ２５およびその周囲の部材に悪影響が生じるけれども、前述のようにモータ２５の発熱を防ぐことによって、このような悪影響を抑えることができる。
【００４９】
第２状態では、図８（２）に示すように、ばね部材３６の第２腕部３９がばね受け片３５の第２ばね受け面５２に弾発的に当接する。第２状態では、第１状態に比べて前記半径方向の分力Ｆ２が大きくなり、また第１状態に比べて前記周方向の分力Ｆ１が小さくなる。このように前記周方向の分力Ｆ１が小さくなるので、可動体４を基体３に対して角変位駆動するにあたって、モータ２５にかかる負荷を小さくすることができる。
【００５０】
また前記周方向の分力Ｆ１は、可動体４を原点位置に復帰させるときに、補助的な力として作用する。したがって可動体４を原点位置に復帰させるときにモータ２５にかかる負荷を小さくすることができる。
【００５１】
第３状態では、図９（１）に示すように、ばね部材３６の第２腕部３９がばね受け片３５の第３ばね受け面５３における第１回動方向Ｒ１下流側の部分に弾発的に当接する。第３状態では、第２状態に比べて前記半径方向の分力Ｆ２がさらに大きくなり、また前記周方向の分力Ｆ１がなくなる。このように前記周方向の分力Ｆ１がなくなるので、可動体４を基体３に対して角変位駆動するにあたって、モータ２５にかかる負荷を可及的に小さくすることができる。
【００５２】
第４状態では、図９（２）に示すように、ばね部材３６の第２腕部３９がばね受け片３５の第３ばね受け面５３における第１回動方向Ｒ１上流側の部分に弾発的に当接する。第４状態では、第３状態と比べて前記半径方向の分力Ｆ２が同一であり、また第３状態と比べて前記周方向の分力Ｆ１の分力が同一である。したがって第３状態と同様、可動体４を基体３に対して角変位駆動するにあたって、モータ２５にかかる負荷を可及的に小さくすることができる。
【００５３】
第１ばね受け面５１と第３ばね受け面５３との間には、第２ばね受け面５２が介在し、この第２ばね受け面５２は、第１軸線Ｌ１に関して半径方向に外方に凸に湾曲しているので、付勢力Ｆの方向は緩やかに変化する。したがってばね受け片３５を、ばね部材３６からの付勢力Ｆに抗して滑らかに回動させることができる。
【００５４】
図１０は、光源７からの光の進路を説明するための図であり、図１０（１）は第１状態を示し、図１０（２）は第４状態を示す。
【００５５】
第１状態では、図１０（１）に示すように、光源７は、可動体４に対して該可動体４の長手方向の一端面１７ａに対向する。換言すれば、光源７は、可動体４の底部１７の中央部８１に対向する。しかも光源７の光軸方向Ａは、可動体４の底部１７から蓋部１８に向かう方向と一致する。このような第１状態では、光源７からの光は、可動体４の一端面１７ａを透過して、可動体４の他端面１８側に導かれる。換言すれば、光源７からの光は、底部１７の中央部８１を透過して、筒状部１６の内方に進入し、光拡散部１９で拡散されて、蓋部１８に導かれる。
【００５６】
第４状態では、図１０（２）に示すように、光源７は、可動体４に対して該可動体４の前記連結部分２２の外壁面２２ａに対向する。しかも光源７の光軸方向Ａは、可動体４の底部１７から蓋部１８に向かう方向に交差する。前記連結部分２２の内壁面２２ｂにおいて、第４状態で光源７と対向する領域には、光源７から可動体４内に入射した光を可動体４の他端面１８ａ側に向けて反射させる反射面９０が形成されている。
【００５７】
このような第４状態では、光源７からの光は、前記連結部分２２の外壁面２２ａを透過して可動体４内に入射し、前記連結部分２２の内壁面２２ｂに形成される反射面９０で反射され、光源７の照射範囲から外れた可動体４の他端面１８ａ側に導かれる。換言すれば、光源７からの光は、前記連結部分２２のうちで光源７に臨む部分８２を透過して、筒状部１６の内方に進入し、前記連結部分２２のうちで光源７とは反対側に臨む部分８３の内面８４に到達する。前記内面８４に到達した光は、反射面９０となる前記内面８４で反射され、光拡散部１９で拡散されて、光源７の照射範囲から外れた可動体４の蓋部１８に導かれる。
【００５８】
このように可動体４のうちで光源７の照射範囲から外れた部分にも、光源７からの光を導くことができるので、前記外れた部分をも明るくすることができる。このような効果を達成するために、他の光源を別途に設ける必要がなく、したがって構成を簡素化することができる。また光源７に電力を供給するための配線が、可動体４とともに動くことがないので、配線の取り回しが容易であり、また配線が可動体４に噛み込まれてしまうおそれがない。
【００５９】
前記内面８４に到達した光の一部は、前記内面８４を透過して、前記連結部分２２のうちで光源７とは反対側に臨む部分８３の外面８５に到達する。前記外面８５に到達した光は、前記外面８５で反射される。前記外面８５で反射された光は、筒状部１６の内周面８６と外周面８７とで反射を繰り返しながら、大略的に筒状部１６の一端から他端に向かう方向に進む。この光の一部は、筒状部１６の外周面８７を透過する。したがって演出装置１０を正面視したときに、可動体本体１５の全体が明るく見える。
【００６０】
前述の実施の各形態は、本発明の例示に過ぎず、本発明の範囲内において構成を変更することができる。
【図面の簡単な説明】
【００６１】
【図１】本発明の実施の一形態の遊技機の補助演出装置１の正面図。
【図２】補助演出装置１を備える演出装置１０全体の正面図。
【図３】可動体４の断面図。
【図４】補助演出装置１の分解斜視図。
【図５】ばね受け片３５の正面図。
【図６】光源７の斜視図。
【図７】補助演出装置１の電気的構成を示すブロック図。
【図８】補助演出装置１の動作を説明するための図。
【図９】補助演出装置１の動作を説明するための図。
【図１０】光源７からの光の進路を説明するための図。
【符号の説明】
【００６２】
１…補助演出装置、４…可動体、５…駆動手段、７…光源、２２…連結部分
【図１】
2008272332.tif 000003
【図２】
2008272332.tif 000004
【図３】
2008272332.tif 000005
【図４】
2008272332.tif 000006
【図５】
2008272332.tif 000007
【図６】
2008272332.tif 000008
【図７】
2008272332.tif 000009
【図８】
2008272332.tif 000010
【図９】
2008272332.tif 000011
【図１０】
2008272332.tif 000012